(57)【特許請求の範囲】
【請求項１】
一部の床面が他の床面と異なる高さレベルに設定されたスキップフロア部を有するユニット式建物であって、
前記一部の床面を構成するスキップフロア建物ユニットと、前記他の床面を構成する建物ユニットと、互いに隣接配置される前記スキップフロア建物ユニットおよび前記建物ユニットの間に介装されるスキップフロアジョイントユニットとを備え、
前記スキップフロア建物ユニットおよび前記建物ユニットは、四隅に立設される柱と、これらの柱の上端間、下端間を連結する梁とを含んで構成され、
前記スキップフロアジョイントユニットは、前記スキップフロア建物ユニットを構成する柱の端部と、前記建物ユニットを構成する柱の端部とを連結する斜材を含んで構成されているとともに、前記スキップフロア建物ユニットおよび前記建物ユニットのいずれか一方の一対の柱と対応して配置される一対の柱材と、この一対の柱材の上端、下端を連結する梁材とから構成される枠パネルを含んで構成されていることを特徴とするユニット式建物。
【請求項２】
請求項１に記載のユニット式建物において、
前記枠パネルの柱材の中間部分には、いずれか他方の建物ユニットの柱の端部位置に応じて水平架設材が設けられていることを特徴とするユニット式建物。
【請求項３】
請求項２に記載のユニット式建物において、
前記水平架設材には、当該水平架設材の端部を前記いずれか他方の柱の端部と接合するための接合手段が設けられていることを特徴とするユニット式建物。
【請求項４】
請求項１〜請求項３のいずれかに記載のユニット式建物において、
前記スキップフロアジョイントユニットは、前記柱材と、この柱材の端部に設けられる前記斜材とからなる側面略三角形状に構成されていることを特徴とするユニット式建物。
【請求項５】
請求項１〜請求項４のいずれかに記載のユニット式建物において、
前記スキップフロアジョイントユニットは、上面および下面のいずれかに前記斜材により規定される傾斜面を有し、
この傾斜面には、方立状の輸送治具が着脱可能とされていることを特徴とするユニット式建物。
【発明の詳細な説明】
【０００１】
【発明の属する技術分野】
本発明は、一部の床面が他の床面と異なる高さレベルに設定されたスキップフロア部を有するユニット式建物に関する。
【０００２】
【背景技術】
従来より、工場で製造された建物ユニットを、建築現場で複数組み合わせて形成されるユニット式建物が利用されている。
建物ユニットは、通常、四隅に立設される柱と、これらの柱の上端間、下端間に架設される上梁、下梁とから構成されるフレームを有し、このフレームには、床面材、壁面材、その他必要な設備部材が予め工場で取り付けられる。
このようなユニット式建物によれば、予め建物ユニットに床面材等が取り付けられているので、建築現場において、揚重機等により建物ユニットを配置するだけでユニット式建物を形成することができ、建築現場における工期を大幅に短縮することができるという利点がある。
【０００３】
ところで、上述したユニット式建物において、一部の床面が他の床面と異なる高さレベルに設定されたスキップフロア部を設けることがあり、例えば、特開平３−１６１６３１号公報に記載されるスキップフロア部を有するユニット式建物等が知られている。
このようなスキップフロア部を有するユニット式建物は、スキップフロア部となる部分の基礎を、他の部分の基礎より高さレベルを異なるものとし、その上に建物ユニットを積層配置することにより形成できる。また、基礎の高さレベルが一定であっても、スキップフロア部と対応する位置に、通常の建物ユニットよりも高さ寸法の少ない低建物ユニットを配置し、その上に通常の建物ユニットを積層配置することによっても形成することができる。
【０００４】
上述したスキップフロア部を有するユニット式建物によれば、一部の床面を垂直方向にずらして形成できるので、ユニット式建物の設計自由度を大幅に向上できる。
ここで、従来のスキップフロア部を有するユニット式建物では、スキップフロア部および通常部の境界部分において、通常部を構成する建物ユニットとスキップフロア部を構成する建物ユニット（スキップフロア建物ユニット）とは直接接続されていた。
【０００５】
【発明が解決しようとする課題】
しかしながら、このような従来のスキップフロア部を有するユニット式建物では、次のような問題がある。
▲１▼  すなわち、通常部の床面とスキップフロア部の床面とは階段等で連絡する必要がある。しかしながら、従来の構成では、スキップフロア部および通常部の境界部分において、スキップフロア建物ユニットの境界部分の梁位置と、通常の建物ユニットの境界部分の梁位置とが上下にずれてしまうので、これらの梁が連絡用の階段を設置の障害となってしまう。このため、従来は、境界部分の梁を水平方向に後退させた階段設置用の建物ユニットを、建築現場に応じて作製することにより対応していたが、工場における製造管理および建築現場における現場管理が煩雑となってしまうという問題がある。
▲２▼  また、スキップフロア建物ユニットと、通常の建物ユニットとを境界部分で接合する場合、前述と同様に、隣接する柱の端部の上下位置がずれてしまうため、通常の接合方法とは異なる専用の接合構造を設けなければならず、この点でも工場における製造管理および建築現場における現場管理の煩雑化を招くという問題がある。
▲３▼  さらに、スキップフロア建物ユニットおよび通常の建物ユニットの接合部では、いずれか一方の柱端部といずれか他方の柱の中間部とを接合することとなる。従って、ユニット式建物に地震等により水平力が作用した場合、いずれか一方の端部に作用した水平力が他方の柱の中間部に伝達されることとなり、ユニット式建物の剛性面からも好ましくない。このため、ユニット式建物の規模等によっては、通常部およびスキップフロア部の境界部分に配置される建物ユニットの柱の径等を変更したり、柱の補強等を行わなければならず、上述と同様に製造管理、現場管理の煩雑化を招くという問題がある。
【０００６】
本発明の目的は、一部の床面が他の床面と異なる高さレベルに設定されたスキップフロア部を有するユニット式建物において、建物ユニットの製造管理および建築現場における現場管理の煩雑化を招くことがなく、建物ユニットの補強等を行わなくとも十分に剛性を確保することのできるユニット式建物を提供することにある。
【０００７】
【課題を解決するための手段】
本発明に係るユニット式建物は、図面の符号を参照して説明すれば、一部の床面が他の床面と異なる高さレベルに設定されたスキップフロア部８を有するユニット式建物１であって、前記一部の床面を構成するスキップフロア建物ユニット８１と、前記他の床面を構成する建物ユニット７１と、互いに隣接配置される前記スキップフロア建物ユニットおよび前記建物ユニットの間に介装されるスキップフロアジョイントユニット９１、９２、９３、９４、１９１、２９１とを備え、前記スキップフロア建物ユニットおよび前記建物ユニットは、四隅に立設される柱と、これらの柱の上端間、下端間を連結する梁７１２、７１３とを含んで構成され、スキップフロアジョイントユニットは、前記スキップフロア建物ユニットを構成する柱７１１の端部と、前記建物ユニットを構成する柱７１１の端部とを連結する斜材９１２を含んで構成されているとともに、前記スキップフロア建物ユニットおよび前記建物ユニットのいずれか一方の一対の柱と対応して配置される一対の柱材９１３と、この一対の柱材の上端、下端を連結する梁材９１４とから構成される枠パネル９１１を含んで構成されていることを特徴とする。
【０００８】
このような本発明によれば、スキップフロアジョイントユニットを備えているので、スキップフロア部とユニット式建物の他の部分との連絡用階段を、このスキップフロアジョイントユニットの内部に形成することができる。従って、スキップフロア部に配置される建物ユニット、および他の部分に配置される建物ユニットの構造仕様等を変更する必要もなく、工場における製造管理および建築現場における現場管理の煩雑化を招くこともない。
【０００９】
また、上述したスキップフロアジョイントユニットがスキップフロア建物ユニットの柱の端部と、通常部分の建物ユニットの柱の端部とを連結する斜材を含んで構成されているので、スキップフロア建物ユニットおよび通常の建物ユニットのいずれか一方の柱端部に作用した水平力は、斜材を介して他方の柱端部に伝達されることとなり、ユニット式建物の剛性面からも好ましい。
さらに、スキップフロアジョイントユニットがこのような斜材を複数備えていれば、複数の斜材によるトラス構造を形成することができ、通常部、スキップフロア部間の水平力を適切に伝達することができるので、極めて剛性の高いユニット式建物とすることができる。
【００１１】
加えて、スキップフロアジョイントユニットが建物ユニットの一対の柱と対応して配置される一対の柱材を備えているので、この柱材の上端、下端で建物ユニットの柱との接合を行うことができる。従って、現場におけるスキップフロアジョイントユニットを、隣接する建物ユニット同士の通常の接合構造を利用して接合することができ、建築現場における作業を軽減することができる。
そして、スキップフロアジョイントユニットが一対の柱材および梁から構成される枠パネルを備えているので、上述した斜材とともに、スキップフロアジョイントユニットの剛性が向上し、通常部およびスキップフロア部の間の境界部分の構造強度が大幅に向上する。
【００１２】
また、上述した枠パネルの柱材の中間部分には、いずれか他方の建物ユニットの柱の端部位置に応じて水平架設材９１７が設けられているのが好ましい。
すなわち、柱材の中間部分に水平架設材が接合されているので、水平力の伝達を、斜材および水平架設材を介して行うことができ、ユニット式建物の剛性を一層向上することができる。
【００１３】
さらに、上述した水平架設材には、当該水平架設材の端部を上述した他方の建物ユニットの柱の端部と接合するための接合手段９５が設けられているのが好ましい。具体的な接合手段としては、水平架設材の延出方向に沿って水平に突出する平板状部材９５１Ａと、この平板状部材の水平面に突設されるピン状部材９５１Ｂと、このピン状部材を挿通する孔９５２Ａが形成された接合用プレート９５２とを含んで構成される接合手段を採用することができる。
すなわち、接合手段が設けられているので、水平架設材の端部を前記他方の建物ユニットの柱の端部とを強固に接合することが可能となり、水平力の伝達を確実に行うことが可能となる。
【００１４】
そして、上述したスキップフロアジョイントユニットとしては、柱材と、この柱材に設けられる斜材とからなる側面略三角形状に構成されたスキップフロアジョイントユニット１９１を採用するのが好ましい。
すなわち、スキップフロアジョイントユニットが側面略三角形状に構成されているので、同一形状のスキップフロアジョイントユニットを、三角形の一辺を対向させて上下に積み上げるだけで、床面の高さレベルが異なる通常部とスキップフロア部との接続を行うことができる。従って、１種類のスキップフロアジョイントユニットでスキップフロア部を備えたユニット式建物を形成することが可能となり、製造管理および現場管理の効率化が一層図られる。
【００１５】
また、上述したスキップフロアジョイントユニットが上面および下面のいずれかに斜材により規定される傾斜面９２Ａを有している場合、この傾斜面には、方立て状の輸送治具９２６が着脱可能とされているのが好ましい。
すなわち、傾斜面に方立て状の輸送治具が着脱可能とされているので、実際の施工状態と同様の姿勢でトラック等に積載して輸送することができ、無理な姿勢で積載して、スキップフロアジョイントユニットに損傷が生じることを防止できる。
【００１６】
【発明の実施の形態】
以下、本発明の実施の一形態を図面に基づいて説明する。
図１には、本発明の第１実施形態に係るユニット式建物の部分を表す立面図が示されている。
このユニット式建物１は、一部の床面が他の床面と異なる高さレベルに設定されたスキップフロア部を有する平面長方形状のユニット式建物であり、建物基礎２と、建物基礎２上に設置される建物本体３とを含んで構成されている。
建物基礎２は、通常の住宅用の布基礎部４、建物本体３の載置面がこの布基礎部４よりも高い位置に設定され、内部に車庫５が形成された高基礎部６とを有し、建物本体３は、前記布基礎部４上に設置される通常部７と、前記高基礎部６上に設置されるスキップフロア部８と、通常部７およびスキップフロア部８を接続するジョイント部９とを含んで構成される。
【００１７】
通常部７は、直方体状のフレームを有する建物ユニット７１を複数組み合わせることにより形成される。
この建物ユニット７１は、図２に示すように、四隅に立設される柱７１１と、これらの柱の上端間、下端間を連結する上梁７１２、下梁７１３とを含んで構成される。尚、図２では図示を略したが、この建物ユニット７１の柱７１１と、上梁７１２および下梁７１３との接合は、箱状の接合ボックスを介して行われる。そして、この接合ボックスの上面又は下面には、隣接する建物ユニット７１との接合のために、ボルト挿通孔、ピン等の接続構造が設けられている。
【００１８】
そして、直方体状のフレームの長手方向に配置される一対の下梁７１３の間には、複数本の床根太７１４が架設され、複数本の床根太７１４の上面には、床面材７１５が取り付けられている。
また、直方体状のフレームの長手方向に配置される一対の上梁の間には、複数本の天井小梁７１６が架設され、複数本の天井小梁７１６の下面には、天井面材７１７が取り付けられている。
尚、図示を略したが、隣接する建物ユニット７１の接続は、各建物ユニット７１の隣接する部分で密集する柱７１１の上部にシアプレートを配置し、ボルトナット等で締結することにより行われる。
【００１９】
このような構成を有する建物ユニット７１は、予め工場で床面材７１５、天井面材７１７、その他必要な設備部材が取り付けられた状態で出荷され、建築現場では、揚重機等で建物ユニット７１を配置し、隣接する建物ユニット７１を接続するだけでよい。従って、ユニット式建物１によれば、必要な設備部材等が工場で建物ユニット７１に取り付けられた状態で出荷されるので、建築現場におけるこれら設備部材等の取り付けを軽減することができ、現場工期を大幅に短縮することができる。
【００２０】
スキップフロア部８は、前記通常部７の床面とは異なる高さレベルに設定され、床面の高さレベルの違いは、上述した布基礎部４および高基礎部６の高さレベルの差によって生じている。スキップフロア部８は、通常部７と同様に、複数のスキップフロア建物ユニット８１を組み合わせて構成される。スキップフロア建物ユニット８１は通常部７の建物ユニット７１と同様の構成を有し（図２参照）、柱７１１、上梁７１２、下梁７１３、接合ボックス等を含んで構成される。また、隣接するスキップフロア建物ユニット８１の接続も、通常部７の場合と同様である。
【００２１】
ジョイント部９は、図１に示すように、床面高さの異なる通常部７およびスキップフロア部８の間を連絡するために設けられ、スキップフロアジョイントユニット９１、下部スキップフロアジョイントユニット９２、および上部スキップフロアジョイントユニット９３を組み合わせることにより形成される。そして、本実施形態では、スキップフロアジョイントユニット９１および下部スキップフロアジョイントユニット９２の内部に階段９４が設けられ、この階段９４が通常部７およびスキップフロア部８の連絡用階段とされる。
【００２２】
スキップフロアジョイントユニット９１は、ジョイント部９の中層部分を構成するユニットである。このスキップフロアジョイントユニット９１は、通常部７を構成する建物ユニット７１の側面に応じて設置され、建物ユニット７１の柱７１１の端部から、スキップフロア部８のスキップフロア建物ユニット８１の柱７１１の端部に架設される斜材９１２を含んで構成される。
具体的には、スキップフロアジョイントユニット９１は、図３に示すように、建物ユニット７１の側面に対向配置される枠パネル９１１と、この枠パネル９１１の上下端部から斜めに延びる斜材９１２とを含んで構成される。
【００２３】
枠パネル９１１は、前記建物ユニット７１の一対の柱７１１と対応して配置される一対の柱材９１３と、この一対の柱材９１３の上端、下端間を連結する梁材９１４とを含んで構成され、柱材９１３の上端および下端には、柱材９１３を上下方向、水平方向に連結するために接合ボックス９１３Ａが設けられている。尚、この接合ボックス９１３Ａは、建物ユニット７１およびスキップフロア建物ユニット８１の柱７１１の上端、下端に設けられる接合ボックスと略同様の構造を有している。
前記斜材９１２は、この枠パネル９１１が規定する面から突出するように２本設けられ、柱材９１３の上端から下方に、下端から上方に延設されている。
【００２４】
また、スキップフロアジョイントユニット９１は、枠パネル９１１と離間して配置され、かつ上下に延びる一対の垂直部材９１５を備えている。この一対の垂直部材９１５の上端は、対応する柱材９１３の上端と水平部材９１６によって連結されている。
また、垂直部材９１５の中間部分には、垂直部材９１５の径方向断面を補強するために、ボックス金物９１５Ａが介装されている。このボックス金物９１５Ａには、上述した２本の斜材９１２の端部が接合されているとともに、２本の斜材９１２の交差部分には、垂直部材９１５と、柱材９１３との間に架設される水平架設材９１７が設けられている。さらに、一対の垂直部材９１５は、水平部材等によっては連結されておらず、連結しないことにより、スキップフロアジョイントユニット９１の内部に前記階段９４を設けることが可能となる。
【００２５】
下部スキップフロアジョイントユニット９２は、ジョイント部９の底層部分を構成し、図１における布基礎部４および高基礎部６の間に設定される建物基礎２の斜面部分に設置される。この下部スキップフロアジョイントユニット９２は、図４に示すように、上述したスキップフロアジョイントユニット９１と同様に、枠パネル９１１および２本の斜材９１２を備えているが、枠パネル９１１と対向配置される一対の垂直部材９２５が短くなっている点が相違する。
【００２６】
このため、下部スキップフロアジョイントユニット９２の下面には、一対の柱材９１３のそれぞれの下端から上方に延設される２本の斜材９１２によって規定される傾斜面９２Ａが形成されている。
そして、一対の垂直部材９２５の下端面は、方立て状の輸送治具９２６が取り付けられるようになっていて、これにより、傾斜面９２Ａには、該輸送治具９２６が着脱可能とされている。
【００２７】
上部スキップフロアジョイントユニット９３は、ジョイント部９の上層部分を構成するユニットである。この上部スキップフロアジョイントユニット９３は、図５に示すように、略三角柱状のフレームを有し、スキップフロアジョイントユニット９１および下部スキップフロアジョイントユニット９２のように枠パネルは備えていない。すなわち、上部スキップフロアジョイントユニット９３は、２つの接合ボックス９３１と、この２つの接合ボックス９３１と離間して配置される２本の垂直部材９３５と、接合ボックス９３１および垂直部材９３５の上端を連結する２本の斜材９１２とを含んで構成される。尚、２つの接合ボックス９３１の間、および２本の垂直部材９３５の間には、水平部材９３６が架設されている。また、輸送時、上部スキップフロアジョイントユニット９３の変形を防止するために、垂直部材９３５の下端と、接合ボックス９３１との間には、輸送治具９３７が着脱可能とされている。
【００２８】
次に、上述したスキップフロアジョイントユニット９１、下部スキップフロアジョイントユニット９２、および上部スキップフロアジョイントユニット９３の接続構造について説明する。
通常部７を構成する建物ユニット７１と、これらのスキップフロアジョイントユニット９１、９２、９３とは、建物ユニット７１同士の接続と同様の構造により接続される。すなわち、例えば、スキップフロアジョイントユニット９１であれば、枠パネル９１１の柱材９１３と建物ユニット７１の柱７１１の密集部分にシアプレートを配置し、ボルトナット等で締結して接続される。そして、この上に配置される上部スキップフロアジョイントユニット９３は、シアプレート上に接合ボックス９３１を対応配置することにより上下方向の接続が達成される。
【００２９】
スキップフロア部８を構成するスキップフロア建物ユニット８１と、スキップフロアジョイントユニット９１、９２、９３とは、図６に示すように、ジョイント部９の中層部分を構成するスキップフロアジョイントユニット９１の水平架設材９１７の先端とスキップフロア建物ユニット８１の柱７１１の上部とを連結して接続される。
すなわち、スキップフロアジョイントユニット９１およびスキップフロア建物ユニット８１の接続は、水平架設材９１７が接合されるボックス金物９１５Ａの反対側側面に設けられる接合用ブラケット９５１と、接合用プレート９５２とを備えた接合手段９５によって行われる。
【００３０】
この接合用ブラケット９５１は、水平方向に延びる水平面９５１Ａを有し、この水平面９５１Ａと、スキップフロア建物ユニット８１の柱７１１の上端の接合ボックス７１１Ａとの間に、接合用プレート９５２を配置して不図示のボルトナット等により締結することにより、接合される。
接合用ブラケット９５１は、水平面９５１Ａ上に位置決めピン９５１Ｂが突設されているとともに、その下面には、たわみ防止用のリブ９５１Ｃが設けられている。また、接合用プレート９５２には、位置決めピン９５１Ｂおよび柱７１１の上端面に突設されるピン７１１Ｂが挿通される孔９５２Ａが形成されている。
【００３１】
スキップフロアジョイントユニット９１、下部スキップフロアジョイントユニット９２、および上部スキップフロアジョイントユニット９３の上下方向の接続は、上述した枠パネル９１１および接合ボックス９３１間の接合構造により達成され、垂直部材９１５、９２５、９３５は、上面および下面が当接し、上下に荷重を伝達する構造をとっている。
【００３２】
このような構造を有するユニット式建物１において、地震等により通常部７に作用した水平力は、ジョイント部９を介してスキップフロア部８に伝達される。すなわち、通常部７の建物ユニット７１に作用した水平力は、シアプレートを介して、図３に示されるスキップフロアジョイントユニット９１の枠パネル９１１の接合ボックス９１３Ａに伝達される。さらに、接合ボックス９１３Ａに伝達された水平力は、一部が斜材９１２、および図６に示される接合手段９５を介して、スキップフロア建物ユニット８１の柱７１１上端に設けられる接合ボックス７１１Ａに伝達される。水平力の他の一部は、図６に示すように水平架設材９１７、接合手段９５を介してスキップフロア建物ユニット８１に伝達される。
【００３３】
前述の第１実施形態に係るユニット式建物１によれば、次のような効果がある。すなわち、ユニット式建物１がスキップフロアジョイントユニット９１、９２、９３を備えているので、スキップフロア部８とユニット式建物１の通常部７との連絡用階段９４を、このスキップフロアジョイントユニット９１、９２の内部に形成することができる。従って、境界部分に配置される通常部７の建物ユニット７１、スキップフロア建物ユニット８１の構造仕様等を変更する必要もなく、工場における製造管理および建築現場における現場管理の煩雑化を招くこともない。
【００３４】
また、スキップフロアジョイントユニット９１、９２、９３がスキップフロア建物ユニット８１の柱７１１の端部と、通常部７の建物ユニット７１の柱７１１の端部とを連結する斜材９１２を含んで構成されているので、スキップフロア建物ユニット８１および通常の建物ユニット７１のいずれか一方の柱７１１の端部に作用した水平力は、斜材９１２を介して他方の柱７１１の端部に伝達されることとなり、ユニット式建物１の剛性を大幅に向上することができる。
さらに、スキップフロアジョイントユニット９１、９２、９３がこのような斜材９１２を複数備えていれば、複数の斜材９１２によるトラス構造を形成することができ、通常部７、スキップフロア部８の間の水平力を適切に伝達することができるので、極めて剛性の高いユニット式建物とすることができる。
【００３５】
そして、スキップフロアジョイントユニット９１、９２、９３が建物ユニット７１の一対の柱７１１と対応して配置される一対の柱材９１３を備えているので、この柱材９１３の上端、下端で建物ユニット７１の柱７１１との接合を行うことができる。従って、現場におけるスキップフロアジョイントユニット９１、９２、９３を、隣接する建物ユニット７１の通常の接合構造を利用して接合することができ、建築現場における作業を軽減することができる。
【００３６】
また、スキップフロアジョイントユニット９１、９２、９３が一対の柱材９１３および梁材９１４から構成される枠パネル９１１を備えているので、上述した斜材９１２とともに、スキップフロアジョイントユニットの剛性が向上され、通常部７およびスキップフロア部８の間の境界部分の構造強度を大幅に向上することができる。
さらに、枠パネル９１１の柱材９１３の中間部分に水平架設材９１７が接合されているので、水平力の伝達を、斜材９１２および水平架設材９１７を介して行うことができ、ユニット式建物の剛性を一層向上することができる。
【００３７】
そして、水平架設材９１７の先端に接合手段９５が設けられているので、水平架設材９１７の端部をスキップフロア建物ユニット８１の柱７１１の端部と接合することができ、水平力の伝達を確実に行うことができる。
また、下部スキップフロアジョイントユニット９２の傾斜面９２Ａに方立て状の輸送治具９２６が着脱可能とされているので、実際の施工状態と同様の姿勢でトラック等に積載して輸送することができ、無理な姿勢で積載して下部スキップフロアジョイントユニット９２に損傷が生じることを防止できる。
【００３８】
次に、本発明の第２実施形態について説明する。尚、以下の説明では、既に説明した部材または部分と同一または類似の部材等については、同一の符号を付し、その説明を省略または簡略する。
前述の第１実施形態では、ジョイント部９は、スキップフロアジョイントユニット９１、下部スキップフロアジョイントユニット９２、および上部スキップフロアジョイントユニット９３を備えて構成されていた。
【００３９】
これに対して、第２実施形態に係るユニット式建物１０１におけるジョイント部１０９は、図７に示すように、１種類のスキップフロアジョイントユニット１９１複数組み合わせて構成されている点が相違する。
本実施形態におけるスキップフロアジョイントユニット１９１は、図８に示すように、側面三角形の三角柱状に構成され、建物ユニット７１の側面に配置される枠パネル９１１と、この枠パネル９１１の柱材９１３の上下端に接続される斜材９１２と、この斜材９１２の交差部に設けられる２つの接合ボックス９１３Ａと、２つの接合ボックス９１３Ａ間に架設される水平部材９１８とを含んで構成される。
【００４０】
このようなスキップフロアジョイントユニット１９１は、図７に示すように、枠パネル９１１と通常部７の建物ユニット７１との接合、枠パネル９１１とスキップフロア部８のスキップフロア建物ユニット８１との接合を交互に繰り返し、スキップフロアジョイントユニット１９１の側面三角形の一辺同士を対向させて積層される。尚、スキップフロアジョイントユニット１９１の上下の接合は、先端部分の接合ボックス９１３Ａおよび枠パネル９１１の接合ボックス９１３Ａを建物ユニット７１、スキップフロア建物ユニット８１とともにシアプレートで接続することにより達成される。
尚、上述したジョイント部１０９以外の部分の構造は、前述の第１実施形態に係るユニット式建物１と同様なので、その説明を省略する。
【００４１】
このような第２実施形態に係るユニット式建物によれば、前述の第１実施形態で述べた効果に加えて、次のような効果がある。
すなわち、スキップフロアジョイントユニット１９１が側面略三角形状に構成されているので、同一形状のスキップフロアジョイントユニット１９１を、三角形の一辺を対向させて上下に積み上げるだけで、床面の高さレベルが異なる通常部７とスキップフロア部８との接続を行うことができる。従って、１種類のスキップフロアジョイントユニット１９１でスキップフロア部８を備えたユニット式建物１０１を形成することが可能となり、製造管理および現場管理の効率化を一層図ることができる。
【００４２】
尚、本発明は、前述の各実施形態に限定されるものではなく、次に示すような変形をも含むものである。
すなわち、前述の第１実施形態では、ユニット式建物１は平面長方形状に構成されていたが、図９に示すように、通常部７およびスキップフロア部８の平面位置がずれた異形状のユニット式建物２０１に本発明を利用してもよい。この場合、スキップフロアジョイントユニット２９１は、平面視で平行四辺形状に構成すれば、通常部７、スキップフロア部８の構造を変更することなく、ユニット式建物２０１を構成することができる。
【００４３】
また、前述の各実施形態では、斜材９１２によって規定されるスキップフロアジョイントユニット９１、９２、９３の傾斜面は開口されていたが、この傾斜面にブレース等の補強材を架設してもよい。ブレース等を架設すれば、傾斜面を構面とすることができるので、スキップフロアジョイントユニットを一層強固にすることができる。特に、上述した異形状のユニット式建物２０１において、図９に示すように、平面略平行四辺形状のスキップフロアジョイントユニット２９１の上面に、ブレース２９２を対角線状に架設すれば、スキップフロアジョイントユニット２９１の上面が構面となって、水平力に対する剛性が著しく向上する。その他、本発明の実施の際の具体的な形状および構造等は、本発明の目的を達成できる範囲で他の構造等としてもよい。
【００４４】
【発明の効果】
前述のような本発明のユニット式建物によれば、スキップフロアジョイントユニットを備えているので、スキップフロア部とユニット式建物の他の部分との連絡用階段を、スキップフロアジョイントユニットの内部に形成し、スキップフロア部、および他の部分に配置される建物ユニットの構造仕様等を変更する必要がなく、工場における製造管理および建築現場における現場管理の煩雑化を招くこともない。また、スキップフロアジョイントユニットが斜材を含んで構成されているので、スキップフロア建物ユニットおよび建物ユニットのいずれか一方の柱端部に作用した水平力は、斜材を介して他方の柱端部に伝達され、ユニット式建物の剛性面からも好ましい。
【図面の簡単な説明】
【図１】本発明の第１実施形態に係るユニット式建物を表す立面図である。
【図２】前記実施形態における建物ユニットを表す概要斜視図である。
【図３】前記実施形態における第１のスキップフロアジョイントユニットの構造を表す概要斜視図である。
【図４】前記実施形態における第２のスキップフロアジョイントユニットの構造を表す概要斜視図である。
【図５】前記実施形態における第３のスキップフロアジョイントユニットの構造を表す概要斜視図である。
【図６】前記実施形態におけるスキップフロアジョイントユニットおよび建物ユニットの接続構造を表す概要斜視図である。
【図７】本発明の第２実施形態に係るユニット式建物を表す立面図である。
【図８】前記実施形態におけるスキップフロアジョイントユニットの構造を表す概要斜視図である。
【図９】前述の第１実施形態の変形となるユニット式建物の平面図である。
【符号の説明】
１、１０１、２０１  ユニット式建物
８  スキップフロア部
７１  建物ユニット
８１  スキップフロア建物ユニット
９１、９２、９３、９４、１９１、２９１  スキップフロアジョイントユニット
９２Ａ  傾斜面
９５  接合手段
７１１  柱
７１２、７１３  梁
９１１  枠パネル
９１２  斜材
９１３  柱材
９１４  梁材
９１７  水平架設材
９２６  輸送治具
【図１】
0004056137.tif 000002
【図２】
0004056137.tif 000003
【図３】
0004056137.tif 000004
【図４】
0004056137.tif 000005
【図５】
0004056137.tif 000006
【図６】
0004056137.tif 000007
【図７】
0004056137.tif 000008
【図８】
0004056137.tif 000009
【図９】
0004056137.tif 000010